(57)【要約】【課題】組付工数を削減することができるブラシホルダ装置を提供することが目的である。【解決手段】ブラシホルダ装置２０は、環状に形成されたハウジング３０を有している。このハウジング３０には、ハウジング３０の径方向に延びる凹部４６が形成されており、この凹部４６には、ブラシ３２及びスプリング３６が収容される。また、ハウジング３０には、ブラシホルダ３８が組み付けられる。ブラシホルダ３８は、凹部４６の開放口４６Ａを塞ぐ蓋部５０と、蓋部５０におけるハウジング３０の径方向外側の端部に折り曲げられて形成されスプリング３６をハウジング３０の径方向外側から支持する後壁部５２とを有している。蓋部５０には、ブラシ３２の上面３２Ａから導出されたピッグテール３４が挿入されるスリット５４が形成されている。このスリット５４は、ハウジング３０の径方向を長手方向として延びてハウジング３０の径方向内側に開口している。【選択図】図２
2014138529.tif 000002
【特許請求の範囲】
【請求項１】
環状に形成されたハウジングと、
前記ハウジングに形成され、前記ハウジングの径方向に延びる凹部と、
前記凹部に収容されたブラシと、
前記ブラシから導出されたピッグテールと、
前記ブラシに対する前記ハウジングの径方向外側に配置される共に、前記凹部に収容され、前記ブラシを前記ハウジングの径方向内側に付勢するスプリングと、
前記凹部の開放口を塞ぐ蓋部と、前記蓋部に形成されると共に前記ハウジングの径方向を長手方向として延びて前記ハウジングの径方向内側に開口し且つ前記ピッグテールが挿入されたスリットと、前記蓋部における前記ハウジングの径方向外側の端部に折り曲げられて形成され前記スプリングを前記ハウジングの径方向外側から支持する後壁部とを有し、前記ハウジングに組み付けられたブラシホルダと、
を備えたブラシホルダ装置。
【請求項２】
前記ブラシには、突起部が形成され、
前記ハウジングには、前記突起部よりも前記ハウジングの径方向内側に位置し、前記ピッグテールにおける前記ブラシとの接続部が前記スリットの長手方向における開口側の端部に位置した場合に前記突起部と当接されるストッパ部が形成されている、
請求項１に記載のブラシホルダ装置。
【請求項３】
前記突起部は、前記ブラシの幅方向両側の側面に突出して形成され、
前記ストッパ部は、前記凹部における一対の側壁部に突出して形成され、
前記ブラシは、一対の前記ストッパ部に前記ブラシの幅方向両側から支持されている、
請求項２に記載のブラシホルダ装置。
【請求項４】
前記突起部及び前記ストッパ部における互いの当接面は、前記ブラシの幅方向外側に向かうに従って前記ブラシの後端側に向かうように前記ブラシの長手方向に対して傾斜しており、且つ、前記突起部の当接面と前記ストッパ部の当接面とは、互いに異なる角度で傾斜している、
請求項３に記載のブラシホルダ装置。
【請求項５】
前記蓋部は、板状に形成されると共に、自由状態において厚さ方向一方側に凸を成すように湾曲して形成され、
前記ハウジングには、前記ブラシホルダの前記ハウジングへの組付状態において前記蓋部を前記蓋部の厚さ方向に弾性圧縮させた状態で前記蓋部の厚さ方向両側から保持する保持部が形成されている、
請求項１〜請求項４のいずれか一項に記載のブラシホルダ装置。
【請求項６】
前記ブラシホルダには、係止部が形成され、
前記ハウジングには、前記ブラシホルダの前記ハウジングへの組付状態において前記ハウジングの径方向外側から前記係止部と係止された被係止部が形成されている、
請求項１〜請求項５のいずれか一項に記載のブラシホルダ装置。
【請求項７】
前記スプリングは、前記ブラシの長手方向を軸方向として配置されたコイルスプリングとされ、
前記後壁部には、前記スプリングと同軸上に開口部が形成されている、
請求項１〜請求項６のいずれか一項に記載のブラシホルダ装置。
【請求項８】
請求項１〜請求項７のいずれか一項に記載のブラシホルダ装置と、
前記ブラシと摺接される整流子を有する電機子と、
を備えた回転電機。
【発明の詳細な説明】
【技術分野】
【０００１】
本発明は、ブラシホルダ装置及び回転電機に関する。
【背景技術】
【０００２】
従来、環状に形成された樹脂製のハウジングと、このハウジングに組み付けられた板金製のブラシホルダと、ブラシホルダによって保持されたブラシとを備えたブラシホルダ装置が知られている（例えば、特許文献１参照）。
【先行技術文献】
【特許文献】
【０００３】
【特許文献１】特開２０１１−２３４４３８号公報
【発明の概要】
【発明が解決しようとする課題】
【０００４】
このようなブラシホルダ装置では、コストダウンを図るためにも、ブラシホルダ及びブラシをハウジングに組み付ける際の組付工数が少ないことが望まれる。
【０００５】
そこで、本発明は、組付工数を削減することができるブラシホルダ装置を提供することを目的とする。
【０００６】
また、本発明は、コストダウンすることができる回転電機を提供することを目的とする。
【課題を解決するための手段】
【０００７】
前記目的を達成するために、請求項１に記載のブラシホルダ装置は、環状に形成されたハウジングと、前記ハウジングに形成され、前記ハウジングの径方向に延びる凹部と、前記凹部に収容されたブラシと、前記ブラシから導出されたピッグテールと、前記ブラシに対する前記ハウジングの径方向外側に配置される共に、前記凹部に収容され、前記ブラシを前記ハウジングの径方向内側に付勢するスプリングと、前記凹部の開放口を塞ぐ蓋部と、前記蓋部に形成されると共に前記ハウジングの径方向を長手方向として延びて前記ハウジングの径方向内側に開口し且つ前記ピッグテールが挿入されたスリットと、前記蓋部における前記ハウジングの径方向外側の端部に折り曲げられて形成され前記スプリングを前記ハウジングの径方向外側から支持する後壁部とを有し、前記ハウジングに組み付けられたブラシホルダと、を備えている。
【０００８】
請求項１に記載のブラシホルダ装置は、上記構成により、次の要領で組み立てることができる。すなわち、先ず、ハウジングに形成された凹部にブラシが収容される。ブラシには、予めピッグテールが接続されており、ブラシからは、ピッグテールが導出されている。次いで、スプリングが凹部に収容されると共に、蓋部と後壁部を有するブラシホルダがハウジングに組み付けられる。このとき、ブラシホルダは、一例として、ハウジングの径方向外側から組み付けられる。また、ブラシホルダの蓋部には、ハウジングの径方向を長手方向として延びてハウジングの径方向内側に開口するスリットが形成されている。ブラシホルダがハウジングの径方向外側からハウジングに組み付けられる際には、このスリットの長手方向一端側の開口を通じてスリットの内側にピッグテールが挿入される。
【０００９】
このように、請求項１に記載のブラシホルダ装置によれば、ハウジングにブラシを組み付けた後に、ブラシホルダをハウジングに組み付けることができる。また、ブラシホルダは、蓋部と後壁部とを有し、後壁部は、蓋部におけるハウジングの径方向外側の端部に折り曲げられて形成されている。従って、例えば、ハウジングにブラシホルダをカシメ加工等により組み付けてブラシボックスを形成した後に、このブラシボックスにブラシ及びスプリングを収容し、その後、ブラシホルダの後壁部を曲げ加工して後壁部によりスプリングを支持する場合に比して、後壁部の折曲加工を不要にすることができる。これにより、ブラシホルダ装置の組付工数を削減することができる。
【００１０】
請求項２に記載のブラシホルダ装置は、請求項１に記載のブラシホルダ装置において、前記ブラシに、突起部が形成され、前記ハウジングに、前記突起部よりも前記ハウジングの径方向内側に位置し、前記ピッグテールにおける前記ブラシとの接続部が前記スリットの長手方向における開口側の端部に位置した場合に前記突起部と当接されるストッパ部が形成されたものである。
【００１１】
仮に比較例として、蓋部に形成されたスリットがハウジングの径方向内側において終端する構成、すなわち、蓋部における両側部がハウジングの径方向内側において渡り部によって繋がる構成とされた場合、ブラシの先端部の摩耗に伴い渡り部とピッグテールとが干渉することでブラシの寿命が規定される。しかしながら、この場合には、渡り部を設けた分、ブラシの有効長が短くなる（渡り部に相当する長さだけブラシを使用できずに無駄になる）。
【００１２】
この点、請求項２に記載のブラシホルダ装置によれば、蓋部に形成されたスリットは、ハウジングの径方向内側に開口している。また、ブラシには、突起部が形成され、ハウジングには、ハウジングの径方向内側に位置するストッパ部が形成されている。ストッパ部は、ブラシの先端部の摩耗に伴いピッグテールにおけるブラシとの接続部がスリットの長手方向における開口側の端部に位置した場合に突起部と当接される。そして、このように突起部とストッパ部とが当接することでブラシの寿命が規定される。従って、上述の従来の場合に比して、渡り部を廃止した分、ブラシの有効長を長くすることができる（ブラシの寿命を伸ばすことができる）。
【００１３】
請求項３に記載のブラシホルダ装置は、請求項２に記載のブラシホルダ装置において、前記突起部が、前記ブラシの幅方向両側の側面に突出して形成され、前記ストッパ部が、前記凹部における一対の側壁部に突出して形成され、前記ブラシが、一対の前記ストッパ部に前記ブラシの幅方向両側から支持されたものである。
【００１４】
請求項３に記載のブラシホルダ装置によれば、突起部は、ブラシの幅方向両側の側面に突出して形成されており、ストッパ部は、凹部における一対の側壁部に突出して形成されている。また、ブラシは、一対のストッパ部にブラシの幅方向両側から支持されている。従って、例えば、ブラシが凹部における一対の側壁部の全体で支持される場合に比して、ブラシの摺動抵抗を低減することができる。これにより、スプリングの弾性力を低減することができるので、スプリングの小型化、ひいては、ブラシホルダ装置の小型化を図ることができる。
【００１５】
請求項４に記載のブラシホルダ装置は、請求項３に記載のブラシホルダ装置において、前記突起部及び前記ストッパ部における互いの当接面が、前記ブラシの幅方向外側に向かうに従って前記ブラシの後端側に向かうように前記ブラシの長手方向に対して傾斜しており、且つ、前記突起部の当接面と前記ストッパ部の当接面とが、互いに異なる角度で傾斜しているものである。
【００１６】
請求項４に記載のブラシホルダ装置によれば、突起部及びストッパ部における互いの当接面は、ブラシの幅方向外側に向かうに従ってブラシの後端側に向かうようにブラシの長手方向に対して傾斜している。また、この突起部の当接面とストッパ部の当接面とは、互いに異なる角度で傾斜している。従って、ブラシの先端部が摩耗し、ブラシが寿命になったときには、突起部の当接面の縁部とストッパ部の当接面の縁部とが当接する。これにより、ブラシが寿命になったときに、突起部の当接面の全体がストッパ部の当接面の全体と当接することを抑制することができる。
【００１７】
請求項５に記載のブラシホルダ装置は、請求項１〜請求項４のいずれか一項に記載のブラシホルダ装置において、前記蓋部が、板状に形成されると共に、自由状態において厚さ方向一方側に凸を成すように湾曲して形成され、前記ハウジングに、前記ブラシホルダの前記ハウジングへの組付状態において前記蓋部を前記蓋部の厚さ方向に弾性圧縮させた状態で前記蓋部の厚さ方向両側から保持する保持部が形成されたものである。
【００１８】
請求項５に記載のブラシホルダ装置によれば、蓋部は、自由状態において厚さ方向一方側に凸を成すように湾曲して形成されている。また、ハウジングには、保持部が形成されており、蓋部は、ブラシホルダのハウジングへの組付状態において、保持部により蓋部の厚さ方向に弾性圧縮された状態で蓋部の厚さ方向両側から保持されている。従って、ブラシホルダのがたつきや共振等による異音の発生を抑制することができる。
【００１９】
請求項６に記載のブラシホルダ装置は、請求項１〜請求項５のいずれか一項に記載のブラシホルダ装置において、前記ブラシホルダに、係止部が形成され、前記ハウジングに、前記ブラシホルダの前記ハウジングへの組付状態において前記ハウジングの径方向外側から前記係止部と係止された被係止部が形成されたものである。
【００２０】
請求項６に記載のブラシホルダ装置によれば、ブラシホルダには、係止部が形成されており、ハウジングには、被係止部が形成されている。この被係止部は、ブラシホルダのハウジングへの組付状態においてハウジングの径方向外側から係止部と係止される。これにより、ブラシホルダをハウジングの径方向外側からスライドさせることで、係止部と被係止部とを係止させてブラシホルダをハウジングに固定することができる。
【００２１】
請求項７に記載の回転電機は、請求項１〜請求項６のいずれか一項に記載のブラシホルダ装置において、前記スプリングが、前記ブラシの長手方向を軸方向として配置されたコイルスプリングとされ、前記後壁部に、前記スプリングと同軸上に開口部が形成されたものである。
【００２２】
請求項７に記載の回転電機によれば、スプリングは、ブラシの長手方向を軸方向として配置されたコイルスプリングとされており、後壁部には、スプリングと同軸上に開口部が形成されている。従って、例えば、この開口部に棒状の治具を挿入すると共に、この治具をスプリングの内側に挿入し、この治具を凹部の内側に挿入することで、スプリングを凹部に収容することができると共に、ブラシホルダをハウジングに組み付けることができる。これにより、スプリング及びブラシホルダの組付を簡素化することができる。
【００２３】
請求項８に記載の回転電機は、請求項１〜請求項７のいずれか一項に記載のブラシホルダ装置と、前記ブラシと摺接される整流子を有する電機子と、を備えている。
【００２４】
請求項８に記載の回転電機によれば、請求項１〜請求項７のいずれか一項に記載のブラシホルダ装置を備えることにより、ブラシホルダ装置の組付工数を削減することができる。これにより、コストダウンすることができる。
【図面の簡単な説明】
【００２５】
【図１】本発明の一実施形態に係る回転電機の側面断面図である。
【図２】図１に示されるブラシホルダ装置の斜視図である。
【図３】図２に示されるブラシホルダ装置の要部拡大側面断面図である。
【図４】図２に示されるブラシホルダ装置の要部拡大平面図である。
【図５】図４の要部拡大図である。
【図６】図２に示されるブラシの斜視図である。
【図７】本発明の一実施形態におけるブラシの第一変形例を示す斜視図である。
【図８】本発明の一実施形態におけるブラシの第二変形例を示す斜視図である。
【図９】本発明の一実施形態におけるブラシホルダの第一変形例を示す斜視図である。
【図１０】本発明の一実施形態におけるブラシホルダの第二変形例を示す斜視図である。
【図１１】本発明の一実施形態におけるブラシホルダの第三変形例を示す斜視図である。
【図１２】本発明の一実施形態におけるブラシホルダの第四変形例を示す斜視図である。
【図１３】本発明の一実施形態におけるブラシホルダの第五変形例を示す斜視図である。
【発明を実施するための形態】
【００２６】
以下、図面に基づき、本発明の一実施形態について説明する。
【００２７】
図１に示されるように、本発明の一実施形態に係る回転電機１０は、ブラシ付き直流モータであり、電機子１２と、ヨーク１４と、マグネット１６と、ブラシホルダ装置２０とを備えている。
【００２８】
電機子１２は、回転子であり、シャフト２２と、コア２４と、整流子２６と、巻線２８とを有している。コア２４及び整流子２６は、シャフト２２に固定されている。巻線２８は、コア２４に巻装されると共に、整流子２６に接続されている。
【００２９】
ヨーク１４は、有底筒状に形成されている。このヨーク１４の内側には、電機子１２が回転可能に収容されている。マグネット１６は、ヨーク１４の内周面に固定されており、コア２４の径方向外側にコア２４と対向して配置されている。ヨーク１４における開口側の端部には、ブラシホルダ装置２０が設けられている。
【００３０】
ブラシホルダ装置２０は、図２に示されるように、ハウジング３０と、一対のブラシ３２と、一対のピッグテール３４（配線部材）と、一対のスプリング３６と、一対のブラシホルダ３８と、一対のチョークコイル４０と、ターミナル４２を備えている。なお、図２では、理解の容易のために、一方のスプリング３６と、一方のブラシホルダ３８が取り外された状態（分解状態）で示されている。また、一対のチョークコイル４０の一方は、不図示とされている。
【００３１】
ハウジング３０は、樹脂製とされており、環状に形成されている。このハウジング３０の中央部には、上述の整流子２６（図１参照）を回転可能に収容する孔部４４が形成されている。このハウジング３０には、一対の凹部４６が形成されている。各凹部４６は、ハウジング３０の軸方向一方側（矢印Ｚ１側）に開口すると共に、ハウジング３０の径方向に延びている。また、各凹部４６の長手方向両側は、開口している。この一対の凹部４６は、それぞれ孔部４４の径方向外側に位置しており、且つ、この孔部４４を中心として点対称に形成されている。
【００３２】
ブラシ３２は、凹部４６に収容されている。このブラシ３２は、凹部４６の長手方向（ハウジング３０の径方向）に移動可能とされている。このブラシ３２は、上述の電機子１２の回転に伴い整流子２６（いずれも図１参照）と摺接される。
【００３３】
ピッグテール３４は、ブラシ３２と接続されている。このピッグテール３４は、ブラシ３２の上面３２Ａから導出され、チョークコイル４０と接続されている。チョークコイル４０は、ハウジング３０に形成された軸部４８に組み付けられている。ターミナル４２は、ハウジング３０に固定されており、チョークコイル４０と接続されている。
【００３４】
スプリング３６は、一例として、コイルスプリングとされている。このスプリング３６は、ブラシ３２に対するハウジング３０の径方向外側に配置されると共に、凹部４６に収容されている。また、このスプリング３６は、ブラシ３２の長手方向を軸方向として配置されている。
【００３５】
ブラシホルダ３８は、一例として、ステンレス等の板金製とされており、それぞれ板状に形成された蓋部５０及び後壁部５２を有している。蓋部５０は、ハウジング３０の軸方向視にて概略長方形状に形成されている。この蓋部５０は、ブラシホルダ３８がハウジング３０に組み付けられた状態において、凹部４６における底部と対向する開放口４６Ａを塞ぐものである（図３，図４も参照）。
【００３６】
この蓋部５０には、図４に示されるように、ハウジング３０の径方向（矢印Ｘ方向）を長手方向として延びるスリット５４が形成されている。このスリット５４は、ハウジング３０の径方向内側（矢印Ｘ１側）に開口すると共にハウジング３０の径方向外側で終端している。このスリット５４の内側には、ピッグテール３４が挿入されている（図２も参照）。
【００３７】
図３に示されるように、後壁部５２は、蓋部５０におけるハウジング３０の径方向外側（矢印Ｘ２側）の端部に形成されている。この後壁部５２は、蓋部５０におけるハウジング３０の径方向外側の端部から凹部４６の底部４６Ｂ側へ折り曲げられている。この後壁部５２は、ブラシホルダ３８がハウジング３０に組み付けられた状態において、スプリング３６をハウジング３０の径方向外側から支持する。また、スプリング３６が後壁部５２によってハウジング３０の径方向外側から支持されることにより、ブラシ３２（図２参照）は、スプリング３６によってハウジング３０の径方向内側に付勢される。
【００３８】
また、図２に示されるように、この後壁部５２には、上述のスプリング３６と同軸上に開口部５６が形成されている。この開口部５６は、後壁部５２を厚さ方向に見た場合に十字状を成している。
【００３９】
また、このブラシホルダ３８には、一対の係止部５８が形成されている。各係止部５８は、舌片状に形成されており、蓋部５０の両側の側部における後壁部５２側の部分から後壁部５２側へ向けて延出している。各係止部５８は、後壁部５２側に向かうに従って後壁部５２の先端部側（下端部側）へ向かうように蓋部５０に対して傾斜されている。
【００４０】
ハウジング３０の外周縁部には、ハウジング３０の軸方向を高さ方向とする外周壁部６０が形成されており、凹部４６の側壁部６２には、この外周壁部６０からハウジング３０の径方向外側に突出する突出部６４が形成されている。また、この側壁部６２の突出部６４には、リブ６６が形成されている。リブ６６は、凹部４６の側壁部６２における高さ方向の中間部に形成されており、凹部４６の長手方向に延びている。このリブ６６の一端は、ハウジング３０の外周壁部６０に接続されている。
【００４１】
一方、リブ６６の他端には、被係止部６８が形成されている。この被係止部６８は、リブ６６から凹部４６の開放口４６Ａ側（ハウジング３０の軸方向一方側（矢印Ｚ１側））に向けて突出する突起状に形成されている。そして、図３に示されるように、ブラシホルダ３８のハウジング３０への組付状態においては、被係止部６８がハウジング３０の径方向外側から係止部５８と係止される。また、被係止部６８が係止部５８と係止されることにより、ハウジング３０の径方向外側（矢印Ｘ２側）へのブラシホルダ３８の移動が規制される。
【００４２】
また、凹部４６の開放口４６Ａ側の縁部（つまり、凹部４６における両側の側壁部６２の上面）は、支持部７０として形成されている。また、ハウジング３０には、この支持部７０とハウジング３０の軸方向に対向する複数の爪部７２が形成されている。
【００４３】
この複数の爪部７２は、上述の支持部７０に対してハウジング３０の軸方向一方側（矢印Ｚ１側）に位置している。この支持部７０及び複数の爪部７２は、上述の蓋部５０を保持するための保持部７４を形成している。この支持部７０と複数の爪部７２との間には、上述の蓋部５０の厚みと同等の隙間が確保されている。そして、ブラシホルダ３８のハウジング３０への組付状態においては、この支持部７０と複数の爪部７２との間に蓋部５０が挿入される。また、蓋部５０は、支持部７０と複数の爪部７２との間に挿入された状態で、蓋部５０の厚さ方向両側から支持部７０と複数の爪部７２（保持部７４）によって保持される。
【００４４】
また、このようにしてブラシホルダ３８がハウジング３０に組み付けられることにより、凹部４６と蓋部５０とによってブラシボックス７６が形成されている。このブラシボックス７６には、上述のブラシ３２（図２，図４参照）が収容されている。
【００４５】
ブラシ３２には、図４〜図６に示されるように、一対の突起部７８（段差部）が形成されている。この一対の突起部７８は、ブラシ３２の幅方向両側の側面３２Ｂに突出して形成されている。また、各突起部７８は、図６に示されるように、側面３２Ｂの下端から上端に亘って形成されている。一方、図４に示されるように、ハウジング３０には、突起部７８よりもハウジング３０の径方向内側（矢印Ｘ１側）に位置する一対のストッパ部８０が形成されている。この一対のストッパ部８０は、それぞれ凹部４６の側壁部６２に突出して形成されている。
【００４６】
また、図４に示される如くブラシ３２が新品の状態（摩耗していない状態）において、一対のストッパ部８０は、一対の突起部７８とブラシ３２の長手方向（ハウジング３０の径方向である矢印Ｘ方向）に離間されている。このストッパ部８０と突起部７８との離間長さは、ブラシ３２の摩耗に伴いピッグテール３４におけるブラシ３２との接続部３４Ａがスリット５４の長手方向における開口５４Ａ側の端部に位置した場合（つまり、接続部３４Ａが二点鎖線で示される位置に位置した場合）にストッパ部８０と突起部７８とが当接されるように設定されている。また、このブラシホルダ装置２０では、ピッグテール３４におけるブラシ３２との接続部３４Ａがスリット５４の長手方向における開口５４Ａ側の端部に位置した場合がブラシ３２の寿命に設定されている。
【００４７】
さらに、ブラシ３２は、一対のストッパ部８０にブラシ３２の幅方向両側から支持されている。また、突起部７８及びストッパ部８０における互いの当接面７８Ａ，８０Ａは、ブラシ３２の幅方向外側（矢印Ｙ１側）に向かうに従ってブラシ３２の後端側（矢印Ｘ２側）に向かうようにブラシ３２の長手方向（矢印Ｘ方向）に対して傾斜している。この突起部７８の当接面７８Ａとストッパ部８０の当接面８０Ａとは、互いに異なる角度で傾斜している。この突起部７８の当接面７８Ａとストッパ部８０の当接面８０Ａとの傾斜角度の差は僅かである。
【００４８】
そして、上記各構成とされたブラシホルダ装置２０は、例えば、次の要領で組み立てられる。すなわち、先ず、図２に示されるハウジング３０に形成された凹部４６にブラシ３２が収容される。ブラシ３２には、予めピッグテール３４が接続されており、ブラシ３２の上面３２Ａからは、ピッグテール３４が導出されている。また、ピッグテール３４と接続されたチョークコイル４０は、ハウジング３０に形成された軸部４８に組み付けられる。
【００４９】
次いで、スプリング３６が凹部４６に収容されると共に、蓋部５０と後壁部５２を有するブラシホルダ３８がハウジング３０に組み付けられる。このとき、ブラシホルダ３８は、一例として、ハウジング３０の径方向外側から組み付けられる。
【００５０】
また、このとき、後壁部５２に形成された開口部５６に棒状の治具８２が挿入されると共に、この治具８２がスプリング３６の内側に挿入される。この治具８２には、この治具８２の軸方向視にて十字状のものが使用され、この治具８２の十字部が同じく十字状に形成された開口部５６に挿入される。そして、この治具８２が凹部４６の内側に挿入されることで、スプリング３６が凹部４６に収容されると共に、ブラシホルダ３８がハウジング３０に組み付けられる。
【００５１】
また、上述のように、ブラシホルダ３８の蓋部５０には、ハウジング３０の径方向を長手方向として延びてハウジング３０の径方向内側に開口するスリット５４が形成されている。ブラシホルダ３８がハウジング３０の径方向外側からハウジング３０に組み付けられる際には、このスリット５４の長手方向一端側の開口５４Ａを通じてスリット５４の内側にピッグテール３４が挿入される。
【００５２】
そして、図３に示されるように、支持部７０と複数の爪部７２との間に蓋部５０が挿入されて蓋部５０が保持部７４により蓋部５０の厚さ方向両側から保持されると共に、係止部５８が被係止部６８と係止されることにより、ブラシホルダ３８がハウジング３０に組み付けられる。以上の要領で、ブラシホルダ装置２０は組み立てられる。
【００５３】
なお、図４，図５において、突起部７８及びストッパ部８０は、その突出高さが誇張して描かれている。図５に示されるように、一例として、突起部７８の突出高さＨは、０．１ｍｍ以上に設定される。また、突起部７８とストッパ部８０とのラップ代Ｌも、０．１ｍｍ以上に設定される。
【００５４】
次に、本発明の一実施形態の作用及び効果について説明する。
【００５５】
以上詳述したように、本実施形態に係るブラシホルダ装置２０（図２参照）によれば、ハウジング３０にブラシ３２を組み付けた後に、ブラシホルダ３８をハウジング３０に組み付けることができる。また、ブラシホルダ３８は、蓋部５０と後壁部５２とを有し、後壁部５２は、蓋部５０におけるハウジング３０の径方向外側の端部に折り曲げられて形成されている。従って、例えば、ハウジング３０にブラシホルダ３８をカシメ加工等により組み付けてブラシボックス７６を形成した後に、このブラシボックス７６にブラシ３２及びスプリング３６を収容し、その後、ブラシホルダ３８の後壁部５２を曲げ加工して後壁部５２によりスプリング３６を支持する場合に比して、後壁部５２の折曲加工を不要にすることができる。これにより、ブラシホルダ装置２０の組付工数を削減することができる。
【００５６】
また、ブラシホルダ３８には、係止部５８が形成されており、ハウジング３０には、被係止部６８が形成されている。この被係止部６８は、ブラシホルダ３８のハウジング３０への組付状態においてハウジング３０の径方向外側から係止部５８と係止される（図３参照）。これにより、ブラシホルダ３８をハウジング３０の径方向外側からスライドさせることで、係止部５８と被係止部６８とを係止させてブラシホルダ３８をハウジング３０に固定することができる。
【００５７】
また、図２に示されるように、スプリング３６は、ブラシ３２の長手方向を軸方向として配置されたコイルスプリングとされており、後壁部５２には、スプリング３６と同軸上に開口部５６が形成されている。従って、上述のように、例えば、この開口部５６に棒状の治具８２を挿入すると共に、この治具８２をスプリング３６の内側に挿入し、この治具８２を凹部４６の内側に挿入することで、スプリング３６を凹部４６に収容することができると共に、ブラシホルダ３８をハウジング３０に組み付けることができる。これにより、スプリング３６及びブラシホルダ３８の組付を簡素化することができる。
【００５８】
また、図１に示される本実施形態に係る回転電機１０によれば、上述のブラシホルダ装置２０を備えることにより、ブラシホルダ装置２０の組付工数を削減することができる。これにより、コストダウンすることができる。
【００５９】
ところで、仮に比較例として、図４に示される蓋部５０に形成されたスリット５４がハウジング３０の径方向内側において終端する構成、すなわち、蓋部５０における両側部がハウジング３０の径方向内側において渡り部によって繋がる構成とされた場合、ブラシ３２の先端部の摩耗に伴い渡り部とピッグテール３４とが干渉することでブラシ３２の寿命が規定される。しかしながら、この場合には、渡り部を設けた分、ブラシ３２の有効長が短くなる（渡り部に相当する長さだけブラシ３２を使用できずに無駄になる）。
【００６０】
この点、本実施形態に係るブラシホルダ装置２０によれば、蓋部５０に形成されたスリット５４は、ハウジング３０の径方向内側（矢印Ｘ１側）に開口している。また、ブラシ３２には、突起部７８が形成され、ハウジング３０には、ハウジング３０の径方向内側に位置するストッパ部８０が形成されている。ストッパ部８０は、ブラシ３２の先端部の摩耗に伴いピッグテール３４におけるブラシ３２との接続部３４Ａがスリット５４の長手方向における開口５４Ａ側の端部に位置した場合に突起部７８と当接される。そして、このように突起部７８とストッパ部８０とが当接することでブラシ３２の寿命が規定される。従って、上述の従来の場合に比して、渡り部を廃止した分、ブラシ３２の有効長を長くすることができる（ブラシ３２の寿命を伸ばすことができる）。
【００６１】
しかも、突起部７８は、ブラシ３２の幅方向両側の側面３２Ｂに突出して形成されており、ストッパ部８０は、凹部４６における一対の側壁部６２に突出して形成されている。また、ブラシ３２は、一対のストッパ部８０にブラシ３２の幅方向両側から支持されている。従って、例えば、ブラシ３２が凹部４６における一対の側壁部６２の全体で支持される場合に比して、ブラシ３２の摺動抵抗を低減することができる。これにより、スプリング３６（図２参照）の弾性力を低減することができるので、スプリング３６の小型化、ひいては、ブラシホルダ装置２０の小型化を図ることができる。
【００６２】
また、図４に示されるように、突起部７８及びストッパ部８０における互いの当接面７８Ａ，８０Ａは、ブラシ３２の幅方向外側（矢印Ｙ１側）に向かうに従ってブラシ３２の後端側（矢印Ｘ２側）に向かうようにブラシ３２の長手方向（矢印Ｘ方向）に対して傾斜している。また、この突起部７８の当接面７８Ａとストッパ部８０の当接面８０Ａとは、互いに異なる角度で傾斜している。従って、ブラシ３２の先端部が摩耗し、ブラシ３２が寿命になったときには、突起部７８の当接面７８Ａの縁部とストッパ部８０の当接面８０Ａの縁部とが当接する。これにより、ブラシ３２が寿命になったときに、突起部７８の当接面７８Ａの全体がストッパ部８０の当接面８０Ａの全体と当接することを抑制することができる。
【００６３】
また、上述のように、ブラシホルダ３８をハウジング３０に組み付ける前にブラシ３２を凹部４６に収容することができる（図２参照）。従って、例えば、ブラシホルダ３８をハウジング３０に組み付けた後にブラシ３２を凹部４６（凹部４６と蓋部５０とで構成されたブラシボックス７６）に収容する場合のように、ピッグテール３４を取り回してスリット５４に挿入する必要がないので、ピッグテール３４の長さを短くすることができる。
【００６４】
次に、本発明の一実施形態の変形例について説明する。
【００６５】
上述の本発明の一実施形態では、図６に示されるように、突起部７８は、ブラシ３２の側面３２Ｂの下端から上端に亘って形成されていた。しかしながら、図７に示されるように、突起部７８は、ブラシ３２の側面３２Ｂの高さ方向の中間部に形成されていても良い。また、図８に示されるように、突起部７８は、ブラシ３２の上面３２Ａに形成されても良く、また、ブラシ３２の下面に形成されても良い。また、この突起部７８の変形例に対応して、ストッパ部８０（図４参照）も、凹部４６における側壁部６２以外の場所に形成されても良い。
【００６６】
また、上述の本発明の一実施形態では、図２に示されるように、係止部５８は、蓋部５０の両側の側部における後壁部５２側の部分に形成されていた。しかしながら、図９に示されるように、ブラシホルダ３８に下壁部８４が形成されると共に、この下壁部８４に係止部５８が形成されても良い。また、図１０に示されるように、ブラシホルダ３８に側壁部８６が形成されると共に、この側壁部８６に係止部５８が形成されても良い。さらに、図１１に示されるように、係止部５８は、後壁部５２側に向かうに従って後壁部５２の先端部側（下端部側）と反対側へ向かうように蓋部５０に対して傾斜されていても良い。また、この係止部５８の変形例に対応して、被係止部６８（図３参照）も、凹部４６の側壁部６２以外の場所に形成されても良い。
【００６７】
また、上述の本発明の一実施形態において、蓋部５０は、図１２，図１３に示されるように、自由状態において厚さ方向一方側（すなわち、図１２において矢印Ｔ１側、図１３において矢印Ｔ２側）に凸を成すように湾曲して形成されても良い。そして、この蓋部５０は、ブラシホルダ３８のハウジング３０への組付状態において保持部７４（いずれも図３等参照）により蓋部５０の厚さ方向に弾性圧縮された状態で蓋部５０の厚さ方向両側から保持されても良い。このように構成されていると、ブラシホルダ３８のがたつきや共振等による異音の発生を抑制することができる。
【００６８】
なお、上記複数の変形例のうち組み合わせ可能な変形例は、適宜組み合わされて実施可能であることは勿論である。
【００６９】
以上、本発明の一実施形態について説明したが、本発明は、上記に限定されるものでなく、上記以外にも、その主旨を逸脱しない範囲内において種々変形して実施可能であることは勿論である。
【符号の説明】
【００７０】
１０…回転電機、１２…電機子、１４…ヨーク、１６…マグネット、２０…ブラシホルダ装置、２２…シャフト、２４…コア、２６…整流子、２８…巻線、３０…ハウジング、３２…ブラシ、３２Ａ…上面、３２Ｂ…側面、３４…ピッグテール、３４Ａ…接続部、３６…スプリング、３８…ブラシホルダ、４０…チョークコイル、４２…ターミナル、４４…孔部、４６…凹部、４６Ａ…開放口、４８…軸部、５０…蓋部、５２…後壁部、５４…スリット、５４Ａ…開口、５６…開口部、５８…係止部、６０…外周壁部、６２…側壁部、６４…突出部、６６…リブ、６８…被係止部、７０…支持部、７２…爪部、７４…保持部、７６…ブラシボックス、７８…突起部、７８Ａ，８０Ａ…当接面、８０…ストッパ部、８２…治具、８４…下壁部、８６…側壁部
【図１】
2014138529.tif 000003
【図２】
2014138529.tif 000004
【図３】
2014138529.tif 000005
【図４】
2014138529.tif 000006
【図５】
2014138529.tif 000007
【図６】
2014138529.tif 000008
【図７】
2014138529.tif 000009
【図８】
2014138529.tif 000010
【図９】
2014138529.tif 000011
【図１０】
2014138529.tif 000012
【図１１】
2014138529.tif 000013
【図１２】
2014138529.tif 000014
【図１３】
2014138529.tif 000015